(57)【要約】      （修正有）【課題】空き時間が生じないように表示スケジュールを組む。【解決手段】デフォルト表示スケジュールは、配信管理者がデフォルトで設定したコンテンツであるデフォルトコンテンツを含ませることにより、空き時間がないように設定された表示スケジュールである。修正スケジュール設定部２８０は、いずれかの表示メディアに映像コンテンツを表示する旨の申し込みが申込者端末１００からあった時に、その映像コンテンツをデフォルトコンテンツの代わりに表示するようにデフォルト表示スケジュールを修正することにより、修正スケジュールを設定する。また修正スケジュール設定部２８０は、スケジュール記憶部２５０からデフォルト表示スケジュールを読み出して配信処理装置３００に送信する。【選択図】図２
2012164248.tif 000002
【特許請求の範囲】
【請求項１】
表示メディアに複数のコンテンツの表示スケジュールを配信するスケジュール配信装置であって、
前記スケジュール配信装置の管理者である配信管理者がデフォルトで設定した前記コンテンツであるデフォルトコンテンツを含ませることにより空き時間がないように設定されたデフォルト表示スケジュールを作成するデフォルトスケジュール作成手段と、
前記表示メディアに他の前記コンテンツを表示する旨の申し込みがあった時に、当該他のコンテンツを前記デフォルトコンテンツの代わりに表示するように前記デフォルト表示スケジュールを修正した修正スケジュールを設定する修正スケジュール設定手段と、
前記デフォルト表示スケジュールを前記表示メディアに送信し、その後、前記修正スケジュールの全体、または修正前後の差分データを、上書き用のデータとして送信する配信処理手段と、
を備えるスケジュール配信装置。
【請求項２】
請求項１に記載のスケジュール配信装置において、
前記デフォルトスケジュール作成手段は、前記表示スケジュールを、予め定められた時間単位で管理しており、かつ前記あらかじめ定められた時間を複数の区間に区切っており、前記区間単位で前記デフォルトコンテンツを当てはめるスケジュール配信装置。
【請求項３】
請求項２に記載のスケジュール配信装置において、
前記デフォルトスケジュール設定手段は、前記複数の区間の一部を、前記配信管理者用の区間として設定し、前記複数の区間の他の一部を、前記表示メディアの管理者であるメディア管理者のための区間として設定し、かつ前記複数の区間のさらに他の一部を、第三者への販売用の区間として設定し、
前記修正スケジュール設定手段は、前記他のコンテンツの申込者が前記配信管理者、前記メディア管理者、または前記第三者であった場合に、当該申込者に対応する前記区間を、前記デフォルトコンテンツから前記他のコンテンツに置き換えるスケジュール配信装置。
【請求項４】
請求項１〜３のいずれか一項に記載のスケジュール配信装置において、
複数の前記表示メディア別に、前記他のコンテンツを表示する旨の申し込みを当日行う場合において希望表示時刻の何時間前までに申し込めばよいかを示す申込可能時間を記憶している申込可能時間記憶手段を備え、
前記修正スケジュール設定手段は、第１の前記表示メディアに前記他のコンテンツを表示する旨の申し込みが当日行われた場合、前記申込可能期間記憶手段から前記第１の表示メディアに対応する前記申込可能時間を読み出し、読み出した前記申込可能時間を用いて申込の受付の可否を判断するスケジュール配信装置。
【請求項５】
請求項１〜４のいずれか一項に記載のスケジュール配信装置において、
前記表示メディアは、表示ディスプレイであるスケジュール配信装置。
【請求項６】
表示メディアと、
前記表示メディアに複数のコンテンツの表示スケジュールを配信するスケジュール配信装置と、
を備えるコンテンツ表示システムであって、
前記スケジュール配信装置は、
前記スケジュール配信装置の管理者である配信管理者がデフォルトで設定した前記コンテンツであるデフォルトコンテンツを含ませることにより空き時間がないように設定されたデフォルト表示スケジュールを作成するデフォルトスケジュール作成手段と、
前記表示メディアに他の前記コンテンツを表示する旨の申し込みがあった時に、当該他のコンテンツを前記デフォルトコンテンツの代わりに表示するように前記デフォルト表示スケジュールを修正した修正スケジュールを設定する修正スケジュール設定手段と、
前記デフォルト表示スケジュールを前記表示メディアに送信し、その後、前記修正スケジュールの全体、または修正前後の差分データを、上書き用のデータとして送信する配信処理手段と、
を備えるコンテンツ表示システム。
【請求項７】
スケジュール配信装置を用いて、表示メディアに複数のコンテンツの表示スケジュールを配信するスケジュール配信方法であって、
前記スケジュール配信装置が、
当該スケジュール配信装置の管理者である配信管理者がデフォルトで設定した前記コンテンツであるデフォルトコンテンツを含ませることにより空き時間がないように設定されたデフォルト表示スケジュールを作成し、
前記表示メディアに他の前記コンテンツを表示する旨の申し込みがあった時に、当該他のコンテンツを前記デフォルトコンテンツの代わりに表示するように前記デフォルト表示スケジュールを修正した修正スケジュールを設定し、
前記デフォルト表示スケジュールを前記表示メディアに送信し、その後、前記修正スケジュールの全体、または修正前後の差分データを、上書き用のデータとして送信するスケジュール配信方法。
【請求項８】
コンピュータを、表示メディアに複数のコンテンツの表示スケジュールを配信するスケジュール配信装置として機能させるプログラムであって、
前記コンピュータに、
前記スケジュール配信装置の管理者である配信管理者がデフォルトで設定した前記コンテンツであるデフォルトコンテンツを含ませることにより空き時間がないように設定されたデフォルト表示スケジュールを作成する機能と、
前記表示メディアに他の前記コンテンツを表示する旨の申し込みがあった時に、当該他のコンテンツを前記デフォルトコンテンツの代わりに表示するように前記デフォルト表示スケジュールを修正した修正スケジュールを設定する機能と、
前記デフォルト表示スケジュールを前記表示メディアに送信し、その後、前記修正スケジュールの全体、または修正前後の差分データを、上書き用のデータとして送信する機能と、
を持たせるプログラム。
【発明の詳細な説明】
【技術分野】
【０００１】
本発明は、表示メディアに複数のコンテンツの表示スケジュールを配信するスケジュール配信装置、コンテンツ表示システム、スケジュール配信方法、及びプログラムに関する。
【背景技術】
【０００２】
多数の人が視認可能な場所に映像表示装置を配置しておき、この映像表示装置に映像コンテンツを配信して表示させることにより宣伝効果を得る技術、すなわちデジタルサイネージがある。
【０００３】
一方で、デジタルサイネージに類似する技術として、通信端末がインターネット等を介して情報の配信を要求してきたときに、この通信端末に対して広告を配信する技術がある（例えば特許文献１）。
【先行技術文献】
【特許文献】
【０００４】
【特許文献１】特開２００１−１４２８２６号公報
【発明の概要】
【発明が解決しようとする課題】
【０００５】
将来は、デジタルサイネージの市場が拡大し、互いに異なる広告主から映像コンテンツを受け取り、これら映像コンテンツを、表示スケジュールを組んだ上で、互いに異なる場所に設置された表示メディアに配信するようになると予想される。このような場合において、本発明者は、表示スケジュールを組むときに、空き時間が生じないようにすることが求められる、と考えた。
【０００６】
本発明の目的は、空き時間が生じないように表示スケジュールを組むことができるスケジュール配信装置、コンテンツ表示システム、スケジュール配信方法、及びプログラムを提供することにある。
【課題を解決するための手段】
【０００７】
本発明によれば、表示メディアに複数のコンテンツの表示スケジュールを配信するスケジュール配信装置であって、
前記スケジュール配信装置の管理者である配信管理者がデフォルトで設定した前記コンテンツであるデフォルトコンテンツを含ませることにより空き時間がないように設定されたデフォルト表示スケジュールを作成するデフォルトスケジュール作成手段と、
前記表示メディアに他の前記コンテンツを表示する旨の申し込みがあった時に、当該他のコンテンツを前記デフォルトコンテンツの代わりに表示するように前記デフォルト表示スケジュールを修正した修正スケジュールを設定する修正スケジュール設定手段と、
前記デフォルト表示スケジュールを前記表示メディアに送信し、その後、前記修正スケジュールの全体、または修正前後の差分データを、上書き用のデータとして送信する配信処理手段と、
を備えるスケジュール配信装置が提供される。
【０００８】
本発明によれば、表示メディアと、
前記表示メディアに複数のコンテンツの表示スケジュールを配信するスケジュール配信装置と、
を備えるコンテンツ表示システムであって、
前記スケジュール配信装置は、
前記スケジュール配信装置の管理者である配信管理者がデフォルトで設定した前記コンテンツであるデフォルトコンテンツを含ませることにより空き時間がないように設定されたデフォルト表示スケジュールを作成するデフォルトスケジュール作成手段と、
前記表示メディアに他の前記コンテンツを表示する旨の申し込みがあった時に、当該他のコンテンツを前記デフォルトコンテンツの代わりに表示するように前記デフォルト表示スケジュールを修正した修正スケジュールを設定する修正スケジュール設定手段と、
前記デフォルト表示スケジュールを前記表示メディアに送信し、その後、前記修正スケジュールの全体、または修正前後の差分データを、上書き用のデータとして送信する配信処理手段と、
を備えるコンテンツ表示システムが提供される。
【０００９】
本発明によれば、スケジュール配信装置を用いて、表示メディアに複数のコンテンツの表示スケジュールを配信するスケジュール配信方法であって、
前記スケジュール配信装置が、
当該スケジュール配信装置の管理者である配信管理者がデフォルトで設定した前記コンテンツであるデフォルトコンテンツを含ませることにより空き時間がないように設定されたデフォルト表示スケジュールを作成し、
前記表示メディアに他の前記コンテンツを表示する旨の申し込みがあった時に、当該他のコンテンツを前記デフォルトコンテンツの代わりに表示するように前記デフォルト表示スケジュールを修正した修正スケジュールを設定し、
前記デフォルト表示スケジュールを前記表示メディアに送信し、その後、前記修正スケジュールの全体、または修正前後の差分データを、上書き用のデータとして送信するスケジュール配信方法が提供される。
【００１０】
本発明によれば、コンピュータを、表示メディアに複数のコンテンツの表示スケジュールを配信するスケジュール配信装置として機能させるプログラムであって、
前記コンピュータに、
前記スケジュール配信装置の管理者である配信管理者がデフォルトで設定した前記コンテンツであるデフォルトコンテンツを含ませることにより空き時間がないように設定されたデフォルト表示スケジュールを作成する機能と、
前記表示メディアに他の前記コンテンツを表示する旨の申し込みがあった時に、当該他のコンテンツを前記デフォルトコンテンツの代わりに表示するように前記デフォルト表示スケジュールを修正した修正スケジュールを設定する機能と、
前記デフォルト表示スケジュールを前記表示メディアに送信し、その後、前記修正スケジュールの全体、または修正前後の差分データを、上書き用のデータとして送信する機能と
を持たせるプログラムが提供される。
【発明の効果】
【００１１】
本発明によれば、空き時間が生じないように表示スケジュールを組むことができる。
【図面の簡単な説明】
【００１２】
【図１】実施形態に係るコンテンツ表示システムの構成を示す図である。
【図２】スケジュール作成装置の機能構成を示すブロック図である。
【図３】表示スケジュールのフォーマットの一例を示す模式図である。
【図４】デフォルト表示スケジュールの一例を示す模式図である。
【図５】修正スケジュールの一例を示す模式図である。
【図６】申込可能時間記憶部が記憶しているデータの一例を示す図である。
【図７】スケジュール作成装置が行う第１の処理を示すフローチャートである。
【図８】スケジュール作成装置が行う第２の処理を示すフローチャートである。
【発明を実施するための形態】
【００１３】
以下、本発明の実施の形態について、図面を用いて説明する。尚、すべての図面において、同様な構成要素には同様の符号を付し、適宜説明を省略する。
【００１４】
図１は、実施形態に係るコンテンツ表示システムの構成を示す図である。このコンテンツ表示システムは、スケジュール配信装置１０及び表示メディア５００を備えている。表示メディア５００は、例えば街中に設置された表示ディスプレイであり、映像コンテンツを表示する。表示メディア５００が表示する映像コンテンツの表示スケジュールは、スケジュール配信装置１０によって作成される。本実施形態において、一つのスケジュール配信装置１０は、複数の表示メディア５００の表示スケジュールを管理している。
【００１５】
スケジュール配信装置１０は、スケジュール作成装置２００及び配信処理装置３００（配信処理部）を備えている。スケジュール作成装置２００は、申込者端末１００と通信を行う。申込者端末１００は、表示メディア５００に映像コンテンツが表示されることを申し込むための端末である。スケジュール作成装置２００は、申込者端末１００から送信されてきた情報に従って、いずれの映像コンテンツをどのタイミングでいずれの表示メディア５００に表示させるかを認識し、この認識結果に基づいて表示スケジュールを作成する。表示スケジュールは、複数の表示メディア５００それぞれに対して作成される。配信処理装置３００は、スケジュール作成装置２００が作成した表示スケジュールを表示メディア５００に配信する。
【００１６】
またスケジュール作成装置２００は、管理端末４００とも通信を行う。管理端末４００は、スケジュール配信装置１０の管理者（配信管理者）が操作する端末であり、例えば、スケジュール作成装置２００が作成する表示スケジュールのデフォルトとなる表示スケジュール（以下、デフォルト表示スケジュールと記載）を作成するための入力が行われる。
【００１７】
なお、後述する詳細の内容において、映像コンテンツの送信処理には、映像コンテンツそのものを送信する場合のほかに、映像コンテンツの識別情報を送信する場合も含まれる。後者の場合、送信先の装置（例えば配信処理装置３００または表示メディア５００）には、予め映像コンテンツが、映像コンテンツの識別情報に対応付けて記憶されている。
【００１８】
また、スケジュール配信装置１０と申込者端末１００の間の通信は、インターネット網などの公衆通信網を介して行われてもよいし、専用線を介して行われても良い。同様に、スケジュール配信装置１０と表示メディア５００の間の通信は、インターネット網などの公衆通信網を介して行われてもよいし、専用線を介して行われても良い。
【００１９】
図２は、スケジュール作成装置２００の機能構成を示すブロック図である。スケジュール作成装置２００は、デフォルトスケジュール作成部２４０及び修正スケジュール設定部２８０を備えている。デフォルトスケジュール作成部２４０は、デフォルト表示スケジュールを作成する。デフォルト表示スケジュールは、配信管理者がデフォルトで設定したコンテンツであるデフォルトコンテンツを含ませることにより、空き時間がないように設定された表示スケジュールである。修正スケジュール設定部２８０は、いずれかの表示メディア５００に映像コンテンツを表示する旨の申し込みが申込者端末１００からあった時に、その映像コンテンツをデフォルトコンテンツの代わりに表示するようにデフォルト表示スケジュールを修正することにより、修正スケジュールを設定する。また修正スケジュール設定部２８０は、スケジュール記憶部２５０からデフォルト表示スケジュールを読み出して配信処理装置３００に送信する。
【００２０】
そして配信処理装置３００は、まず、デフォルト表示スケジュールを表示メディア５００に送信し、その後、修正スケジュールの全体、または修正前後の差分データを、上書き用のデータとして表示メディア５００に送信する。
【００２１】
スケジュール作成装置２００は、さらにフォーマット作成部２１０、フォーマット記憶部２２０、デフォルトコンテンツ記憶部２３０、申込可能時間記憶部２６０、及び申込受信部２７０を備えている。
【００２２】
フォーマット作成部２１０は、管理端末４００から送信されてくる情報に従って、デフォルト表示スケジュールのフォーマットを作成する。このフォーマットの詳細は、他の図を用いて後述する。フォーマット記憶部２２０は、フォーマット作成部２１０が作成したフォーマットを記憶する。デフォルトコンテンツ記憶部２３０は、上記したデフォルトコンテンツを記憶している。フォーマット記憶部２２０が記憶されたフォーマット、及びデフォルトコンテンツ記憶部２３０が記憶しているデフォルトコンテンツは、デフォルトスケジュール作成部２４０がデフォルト表示スケジュールを作成するときに使用される。
【００２３】
なお、デフォルトコンテンツ記憶部２３０は、デフォルトコンテンツを、デフォルト表示スケジュールを作成するときの優先順位に対応付けて記憶していてもよい。ここで表示メディア５００別（又は表示メディア５００の管理者別）にデフォルトコンテンツが予め定められている場合がある。このような場合、デフォルトコンテンツ記憶部２３０は、表示メディア５００別（又は表示メディア５００の管理者別）に、デフォルトコンテンツを、デフォルト表示スケジュールを作成するときの優先順位に対応付けて記憶していてもよい。
【００２４】
申込可能時間記憶部２６０は、複数の表示メディア５００別に、申込可能時間を記憶している。申込可能時間は、申込者端末１００から映像コンテンツを表示する旨の申し込みを当日行う場合において、希望表示時刻の何時間前までに申し込めばよいかを示している。そして修正スケジュール設定部２８０は、ある表示メディア５００に対して映像コンテンツを表示する旨の申し込みが当日行われた場合、申込可能時間記憶部２６０からその表示メディアに対応する申込可能時間を読み出し、読み出した申込可能時間を用いて申込の受付の可否を判断する。
【００２５】
申込受信部２７０は、申込者端末１００から映像コンテンツを表示する旨の申し込みを受信する。
【００２６】
なお、図２に示したスケジュール作成装置２００の各構成要素は、ハードウエア単位の構成ではなく、機能単位のブロックを示している。スケジュール作成装置２００の各構成要素は、任意のコンピュータのＣＰＵ、メモリ、メモリにロードされた本図の構成要素を実現するプログラム、そのプログラムを格納するハードディスクなどの記憶ユニット、ネットワーク接続用インタフェースを中心にハードウエアとソフトウエアの任意の組合せによって実現される。そして、その実現方法、装置には様々な変形例がある。
【００２７】
図３は、フォーマット記憶部２２０が記憶している表示スケジュールのフォーマットの一例を示す模式図である。このフォーマットは、スケジュール配信装置１０の管理者が予め定めるものであり、表示メディア５００それぞれに対して設けられる。本図に示す例において、フォーマットは、予め定められた時間単位で管理されている。そしてこの時間は、複数の区間に区切られており、この区間単位でコンテンツが当てはめられるようになっている。本図に示す例では、フォーマットは、一時間単位で管理されている。そしてフォーマットは、この単位内において、複数のコンテンツからなるコンテンツ群が繰り返し表示されるように定められている。
【００２８】
本図に示す例では、コンテンツ群は、長さが１５秒の映像コンテンツが８つ集まることにより、構成されている。そして各コンテンツがはめ込まれる１５秒単位の各区間は、配信管理者用の区間、メディア管理者用の区間、及び販売用の区間のいずれかとして定義されている。配信管理者用の区間は、スケジュール配信装置１０の管理者の映像コンテンツをはめ込むための区間である。メディア管理者用の区間は、表示メディア５００の管理者の映像コンテンツをはめ込むための区間である。販売用の区間は、第三者への販売用の区間、すなわち第三者の映像コンテンツをはめ込むための区間である。
【００２９】
図４は、スケジュール記憶部２５０が記憶しているデフォルト表示スケジュールの一例を示す模式図である。本図に示す例では、図３に示したフォーマットの各区間に、デフォルトコンテンツがはめ込まれている。いずれの区間にいずれのデフォルトコンテンツをはめ込むかは、デフォルトスケジュール作成部２４０が自動で行っても良いし、デフォルトスケジュール作成部２４０が、スケジュール配信装置１０の管理者からの入力に従って行っても良い。前者の場合、デフォルトコンテンツ記憶部２３０が、デフォルトコンテンツを、デフォルト表示スケジュールを作成するときの優先順位に対応付けて記憶しているときには、デフォルトスケジュール作成部２４０は、デフォルトコンテンツ記憶部２３０が記憶している優先順位に従って、デフォルトコンテンツを各区間に当てはめていく。
【００３０】
なお、デフォルト表示スケジュールを作成する段階で、いずれかの区間にデフォルトコンテンツ以外の映像コンテンツが予めはめ込まれていても良い。例えばデフォルト表示スケジュールを作成する段階で既に映像コンテンツの表示の申し込みがあった場合、申し込みを行った者（スケジュール配信装置１０の管理者、表示メディア５００の管理者、または第三者）に対応する区間にその映像コンテンツがはめ込まれ、かつ残りの区間にデフォルトコンテンツがはめ込まれることにより、デフォルト表示スケジュールが形成される。
【００３１】
図５は、スケジュール記憶部２５０が記憶している修正スケジュールの一例を示す模式図である。本図に示すように、第三者から広告としての映像コンテンツを表示することが申し込まれた場合、その映像コンテンツは、販売用の区間に位置するデフォルトコンテンツと置き換えられる。またスケジュール配信装置１０の管理者が映像コンテンツを表示することを希望した場合、その映像コンテンツは、配信管理者用の区間に位置するデフォルトコンテンツと置き換えられる。また表示メディア５００の管理者が映像コンテンツを表示することを希望した場合、その映像コンテンツは、メディア管理者用の区間に位置するデフォルトコンテンツと置き換えられる。
【００３２】
ここで、例えば、広告の申し込み数が販売用の区間の数よりも少ない場合など、映像コンテンツの表示の申し込みが区間の数よりも少ない場合が考えられる。このような場合においても、本実施形態では、デフォルトコンテンツが予めはめ込まれているため、空き時間が生じないように表示スケジュールを組むことができる。
【００３３】
図６は、申込可能時間記憶部２６０が記憶しているデータの一例を示す図である。上記したように、複数の表示メディア５００別に、申込可能時間を記憶している。申込可能時間は、申込者端末１００から映像コンテンツを表示する旨の申し込みを当日行う場合において、希望表示時刻の何時間前までに申し込めばよいかを示している。例えば映像コンテンツの表示を行う当日にその映像コンテンツを配信しようとした場合、配信処理装置３００と表示メディア５００の間の通信回線の速度によって、映像コンテンツを配信するために必要な時間が変わる。このため、複数の表示メディア５００別に、申込可能時間を設定する必要がある。
【００３４】
図７は、スケジュール作成装置２００が行う第１の処理を示すフローチャートである。本図に示す処理は、いずれかの者が映像コンテンツの表示の申し込みを、前日以前に行ったときの処理である。
【００３５】
本図に示す処理に先立ち、デフォルト表示スケジュールは、映像コンテンツの表示を行う日よりも前に作成される。そして、作成されたデフォルト表示スケジュールは、配信処理装置３００によって表示メディア５００に、予め定められた期間前、例えば一週間前に送信される。このため、映像コンテンツの申し込みがまったく無かった場合、表示メディア５００は、デフォルト表示スケジュールに従って映像コンテンツの表示を行う。
【００３６】
そして、申込受信部２７０は、いずれかの申込者端末１００から映像コンテンツの表示申込情報を受信する（ステップＳ１０）。この表示申込情報には、映像コンテンツ（または映像コンテンツを特定する情報）、表示メディア５００を特定する情報、表示日時を特定する情報、及び申込者を特定する情報が含まれている。そして修正スケジュール設定部２８０は、申込者が、スケジュール配信装置１０の管理者であるか、表示メディア５００の管理者であるか、または第三者であるかを判断する（ステップＳ２０）。
【００３７】
そして修正スケジュール設定部２８０は、フォーマット記憶部２２０から、申し込まれた表示メディア５００に対応するフォーマットを読み出して、ステップＳ２０で判断した者に対応する区間を認識する。また修正スケジュール設定部２８０は、スケジュール記憶部２５０から、申し込まれた表示メディア５００に対応する表示スケジュールのうち最新の表示スケジュールを読み出す。
【００３８】
そして修正スケジュール設定部２８０は、最新の表示スケジュールを参照することにより、ステップＳ２０で判断した者に対応する区間のうち、デフォルトコンテンツが未だはめ込まれている区間を認識し、認識した区間を、ステップＳ１０で申し込まれた映像コンテンツが表示されるべき区間として決定する（ステップＳ３０）。そして修正スケジュール設定部２８０は、ステップＳ３０で決定した区間において、デフォルトコンテンツを申し込まれた映像コンテンツに置き換える。これにより、修正スケジュールが作成される（ステップＳ４０）。
【００３９】
そして修正スケジュール設定部２８０は、作成した修正スケジュールの全体、または修正前後の差分データを、その修正スケジュールに対応する表示メディア５００の識別情報に対応付けて、配信処理装置３００に送信する（ステップＳ５０）。配信処理装置３００は、修正スケジュール設定部２８０から受信した修正スケジュールの全体、または修正前後の差分データを、表示メディア５００に送信する。配信処理装置３００が行う処理は、例えばバッチ形式で行われる。そして表示メディア５００は、修正スケジュールを受信すると、既に記憶している表示スケジュールに対して、受信した修正スケジュールを上書きする。
【００４０】
図８は、スケジュール作成装置２００が行う第２の処理を示すフローチャートである。本図に示す処理は、いずれかの者が映像コンテンツの表示の申し込みを、表示が行われる当日に行ったときの処理である。
【００４１】
申込受信部２７０が、いずれかの申込者端末１００から映像コンテンツの表示申込情報を受信する（ステップＳ１０）と、修正スケジュール設定部２８０は、表示申し込み情報に含まれる表示メディア５００の特定情報に対応する申込可能時間を読み出す（ステップＳ１２）。そして、申し込まれた表示日時から申込可能時間を遡ることにより、申し込み締め切りの時刻を算出する。そして算出した時刻が現在の時刻よりも後であった場合、申し込み可能と判断する（ステップＳ１４：Ｙｅｓ）。これ以降の処理（ステップＳ２０〜Ｓ５０）は、図７に示した処理と同様である。
【００４２】
なお、申し込みが不可であった場合（ステップＳ１４：Ｎｏ）、処理を終了する。
【００４３】
次に、本実施形態の作用及び効果について説明する。本実施形態によれば、表示メディア５００には、予めデフォルト表示スケジュールが送信されている。デフォルト表示スケジュールは、複数、例えば３つ以上のデフォルトコンテンツが繰り返し表示されるように設定されている。そして、スケジュール作成装置２００は、映像コンテンツの表示の申し込みがあった場合、デフォルトコンテンツを、申し込まれた映像コンテンツに置き換えることにより、修正スケジュールを作成する。そして配信処理装置３００は、作成した修正スケジュールの全体、または修正前後の差分データを、表示メディア５００に送信し、表示スケジュールを上書きさせる。従って、空き時間が生じないように表示スケジュールを組むことができる。
【００４４】
また、一つのフォーマットに対してデフォルトコンテンツが３つ以上用いられていた場合、２つのコンテンツが繰り返し表示されることを防止できる。このため、表示メディア５００の表示内容が単調になることを抑制できる。
【００４５】
また、一つのフォーマットの中に複数の区間が設定されているが、各区間は、予め、スケジュール配信装置１０の管理者用の区間、表示メディア５００の管理者用の区間、または第三者用の区間として定義されている。従って、スケジュール配信装置１０及び表示メディア５００それぞれの管理者向けの区間を確保した上で、第三者からの広告の申し込みを受け付けることができる。
【００４６】
さらに、申込可能時間記憶部２６０は、複数の表示メディア５００別に、申込可能時間を記憶している。このため、配信処理装置３００と表示メディア５００の間の通信回線の速度が表示メディア５００ごとに異なっても、当日に映像コンテンツの表示の申し込みがあった場合、対応できるか否かを判断することができる。
【００４７】
以上、図面を参照して本発明の実施形態について述べたが、これらは本発明の例示であり、上記以外の様々な構成を採用することもできる。
【符号の説明】
【００４８】
１０ スケジュール配信装置
１００ 申込者端末
２００ スケジュール作成装置
２１０ フォーマット作成部
２２０ フォーマット記憶部
２３０ デフォルトコンテンツ記憶部
２４０ デフォルトスケジュール作成部
２５０ スケジュール記憶部
２６０ 申込可能時間記憶部
２７０ 申込受信部
２８０ 修正スケジュール設定部
３００ 配信処理装置
４００ 管理端末
５００ 表示メディア
【図１】
2012164248.tif 000003
【図２】
2012164248.tif 000004
【図３】
2012164248.tif 000005
【図４】
2012164248.tif 000006
【図５】
2012164248.tif 000007
【図６】
2012164248.tif 000008
【図７】
2012164248.tif 000009
【図８】
2012164248.tif 000010